(57)【要約】【課題】簡単な構成で、コリメートレンズの位置調整を可能にして所望の形状および品質を有する光スポットを形成する。【解決手段】光ピックアップ装置２１は、光記録媒体２２に対して光を出射する光源２４と、光源から出射される光２３を平行光または略平行光にするコリメートレンズ２６と、光源から出射される光の軸である光軸２７に対して直交する方向２８，２９に、コリメートレンズの位置を調整するレンズ位置調整手段３０とを含む構成である。レンズ位置調整手段によって、光源から出射される光に対してコリメートレンズを好適な位置に調整することができるので、所望の形状および品質を有する光スポットを光記録媒体上に形成することが可能になる。【選択図】　　　図１
2004127469.tif 000002
【特許請求の範囲】
【請求項１】
光によって光記録媒体に情報を記録および／または光記録媒体から情報を再生する光ピックアップ装置において、
前記光記録媒体に対して光を出射する光源と、
前記光源から出射される光を平行光または略平行光にするコリメートレンズと、
前記光源から出射される光の軸である光軸に対して直交する方向に、前記コリメートレンズの位置を調整するレンズ位置調整手段とを備えることを特徴とする光ピックアップ装置。
【請求項２】
前記コリメートレンズの径は、
前記光源の前記光軸に直交する一方向の寸法である厚みよりも小さいことを特徴とする請求項１記載の光ピックアップ装置。
【請求項３】
前記コリメートレンズには、前記光軸方向に延びる円筒状のレンズ保持部材が設けられ、
前記コリメートレンズは、その外周が前記レンズ保持部材に内接するようにして保持されることを特徴とする請求項１または２記載の光ピックアップ装置。
【請求項４】
前記コリメートレンズの光学面は、
前記レンズ保持部材の光軸方向の端面から前記コリメートレンズの中心寄りである内方に位置することを特徴とする請求項３記載の光ピックアップ装置。
【請求項５】
前記レンズ保持部材には、
前記光軸方向に直交する方向に延びるフランジ部が形成されることを特徴とする請求項３または４記載の光ピックアップ装置。
【請求項６】
前記レンズ保持部材には、
前記コリメートレンズを前記光軸に対して直交する方向に位置調整するための調整孔が形成されることを特徴とする請求項３〜５のいずれかに記載の光ピックアップ装置。
【請求項７】
前記調整孔は、
前記レンズ保持部材の前記光軸方向の端部に形成され、前記光軸方向外方に臨んで開口することを特徴とする請求項６記載の光ピックアップ装置。
【請求項８】
前記調整孔は、
複数個形成されることを特徴とする請求項６または７記載の光ピックアップ装置。
【請求項９】
前記レンズ位置調整手段は、
前記レンズ保持部材と、
前記レンズ保持部材に形成される調整孔に挿入して用いられる調整部材とを含むことを特徴とする請求項６〜８のいずれかに記載の光ピックアップ装置。
【請求項１０】
前記調整部材は、
略棒状であり、
前記レンズ保持部材に形成される調整孔に挿入される先端部付近の断面形状がＵ字状であることを特徴とする請求項９記載の光ピックアップ装置。
【請求項１１】
前記請求項１〜１０のいずれか一つに記載の光ピックアップ装置を備えることを特徴とする光情報記録再生装置。
【発明の詳細な説明】
【０００１】
【発明の属する技術分野】
本発明は、光によって光記録媒体に情報を記録および／または光記録媒体から情報を再生する光ピックアップ装置およびそれを備える光情報記録再生装置に関する。
【０００２】
【従来の技術】
光によって情報を記録する光記録媒体には、コンパクトディスク（略称ＣＤ），ミニディスク（略称ＭＤ），光磁気ディスク（略称ＭＯ），デジタルバーサタイルディスク（略称ＤＶＤ）などがある。光ピックアップ装置は、前述の各光記録媒体に対し、光によって情報を記録，再生および消去することに用いられる。
【０００３】
図８は従来の光ピックアップ装置１の構成を簡略化して示す斜視図であり、図９は図８に示す光ピックアップ装置１に備わる光源２の構成を簡略化して示す図である。従来の光ピックアップ装置１は、光源２である半導体レーザと、偏光ビームスプリッタ３と、コリメートレンズ４と、立上ミラー５と、対物レンズ６と、レーザ出力モニタ用光検出器７と、ウォラストンプリズム８と、集光レンズ９と、光検出器１０とを含む構成である。
【０００４】
光ピックアップ装置１において、半導体レーザ２はレーザチップ２ａから放射される光ビームをホログラム素子１２で回折光にして出射し、半導体レーザ２から出射される光のほとんどは、偏光ビームスプリッタ３を透過し、コリメートレンズ４によって平行光または略平行光にされた後、立上ミラー５で反射されて対物レンズ６に入射し、対物レンズ６によって光記録媒体１１の情報記録面に集光されて光スポットを形成する。また半導体レーザ２から出射される光は、その一部が偏光ビームスプリッタ３によって反射され、レーザ出力モニタ用光検出器７に入射する。レーザ出力モニタ用光検出器７は、入射した光を光電変換して、光の強度に相当する電気信号を図示しないＡｕｔｏ　Ｐｏｗｅｒ　Ｃｏｎｔｒｏｌ（略称ＡＰＣ）回路に対して出力する。ＡＰＣ回路は、レーザ出力モニタ用光検出器７からの出力に応じて、半導体レーザ２の駆動電流を制御して光出力が一定になるようにする。
【０００５】
光記録媒体１１で反射された反射光は、再び対物レンズ６を透過して立上ミラー５で反射され、コリメートレンズ４を透過して偏光ビームスプリッタ３に入射する。偏光ビームスプリッタ３で反射された光は、ウォラストンプリズム８によって２つの光に分離され、分離された光は集光レンズ９によって光検出器１０に集光される。光検出器１０は、２つの光を光電変換して再生（ＲＦ）信号およびトラッキングエラー信号（略称ＴＥＳ）を差動検出して出力する。
【０００６】
また光記録媒体１１による反射光の一部は、前述の偏光ビームスプリッタ３を透過して半導体レーザ２に戻る。半導体レーザ２に戻った光は、ホログラム素子１２で回折されて受光素子１３に受光される。受光素子１３による検出出力は、差動増幅器１４に入力され、差動増幅器１４は、差動増幅出力をフォーカスエラー信号（略称ＦＥＳ）として出力する。
【０００７】
光ピックアップ装置１では、前述のように半導体レーザ２から出射される光が、コリメートレンズ４によって平行光または略平行光にされ、対物レンズ６によって光記録媒体１１の情報記録面に集光され、情報の記録／再生に用いられる光スポットが形成されている。このような光学的記録方式においては、光記録媒体１１上に形成される光スポットの形状および品質が重要であり、光ピックアップ装置の性能に大きな影響を及ぼしている。
【０００８】
たとえば、光スポットの形状がひずんで形成された場合、正確な情報の記録／再生ができなくなる。したがって、光ピックアップ装置のハウジングに光学部品を装着するに際しては、所望の光スポットが形成されるように、ハウジングの寸法精度を高くし、またハウジングの形状を修正するなどして、光学部品の位置決め精度を高めている。
【０００９】
光学部品の一つであるコリメートレンズ４は、半導体レーザ２から出射される発散光を平行光または略平行光にするとともに、光軸に平行方向に移動することによって平行光にされた光ビーム径を変化させるレンズである。このコリメートレンズ４の光軸に対する位置によって、コリメートレンズ４を透過後の平行光の出射角度が変化して光スポットの形状が変化すること、また前述の光ビーム径に応じて光スポットの品質の変化することが知られている。さらにコリメートレンズそのものの形状および特性のばらつきによっても、光スポットの形状および品質に差異が生じる。
【００１０】
たとえば、コリメートレンズ４の装着位置が、光軸に対して設計値よりも垂直方向にずれている場合、所望の性能を持った光スポットを形成できなくなり、光スポットの形状および品質がばらついてしまう。これは、コリメートレンズ４によって平行光または略平行光にされた光ビームによって形成される光スポットが、所望の位置で焦点を結ばないことによる。その結果、光ピックアップ装置は、特性がばらつき、性能が低下する。このように、光ピックアップ装置において、所望の性能を得るためには、コリメートレンズを精度良く位置決めすることが必要とされる。
【００１１】
光ピックアップ装置において、コリメートレンズの装着位置を調整する従来技術の一つは、チャックでコリメートレンズをチャッキングして移動させ、光記録媒体に対する光スポットの位置を調整するというものである（たとえば、特許文献１参照）。
【００１２】
またもう一つの従来技術は、コリメートレンズを収納する収納用透孔の長さを、コリメートレンズの長さよりも短くし、コリメートレンズ収納用透孔の両側に開溝部を設け、先端部に光ビーム通過用透孔が穿設された長尺の調整レバーを開溝部に挿入し、調整レバーの操作によってコリメートレンズの位置調整を行うというものである（たとえば、特許文献２参照）。
【００１３】
【特許文献１】
特開昭５９−８２６４２号公報
【特許文献２】
実公昭６２−３０１７７号公報
【００１４】
【発明が解決しようとする課題】
前述のような従来技術には、以下のような問題がある。特許文献１に開示される技術では、コリメートレンズをチャックでチャッキングするので、コリメートレンズの光学面を傷付けて光スポットの品質を損なう恐れがあり、また調整装置が複雑化するという問題がある。特許文献２に開示される技術では、調整レバーの保持が難しく、またコリメートレンズのがたつきを防止することができないという問題がある。
【００１５】
なお前述の従来技術以外にも、光スポットの形状等の調整を、半導体レーザの位置調整または立上ミラーの位置調整で行う方法があるけれども、半導体レーザの位置調整においては半導体レーザの厚みに加えて調整代分の寸法を必要とするので、その調整代分だけ光ピックアップ装置を薄型化できないという問題があり、また立上ミラーの位置調整においては設備が複雑になるという問題がある。
【００１６】
本発明の目的は、簡単な構成で、コリメートレンズの位置調整を可能にして所望の光スポットを形成させるとともに、薄型化に寄与することのできる光ピックアップ装置を提供することである。
【００１７】
【課題を解決するための手段】
本発明は、光によって光記録媒体に情報を記録および／または光記録媒体から情報を再生する光ピックアップ装置において、
前記光記録媒体に対して光を出射する光源と、
前記光源から出射される光を平行光または略平行光にするコリメートレンズと、
前記光源から出射される光の軸である光軸に対して直交する方向に、前記コリメートレンズの位置を調整するレンズ位置調整手段とを備えることを特徴とする光ピックアップ装置である。
【００１８】
本発明に従えば、光源から出射される光の軸である光軸に対して直交する方向に、コリメートレンズの位置を調整するレンズ位置調整手段が備えられる。レンズ位置調整手段でコリメートレンズの位置を調整することによって、光源から出射されてコリメートレンズに入射し、さらにコリメートレンズから出射する光の出射角度を調整し、光記録媒体に集光照射される光スポットの形状および品質を調整することができる。このようにして所望の特性を有する光スポットを簡易な構成で容易に得ることができるので、装置のハウジング修正等の作業を省いて組立調整時間を短縮できるとともに、装置の性能向上とコスト削減とを実現することができる。
【００１９】
また本発明は、前記コリメートレンズの径は、前記光源の前記光軸に直交する一方向の寸法である厚みよりも小さいことを特徴とする。
【００２０】
本発明に従えば、コリメートレンズの径は、光源の光軸に直交する一方向の寸法である厚みよりも小さい。このことによって、光源の厚みとコリメートレンズの径との差に相当する寸法分を、コリメートレンズの位置調整代として利用することができるので、光源の厚みを超えるスペースが必要とされない。また光源の位置調整に依ることなく、コリメートレンズの位置調整によって所望の光スポットを得ることができる。したがって、光ピックアップ装置の薄型化を実現することができる。
【００２１】
また本発明は、前記コリメートレンズには、前記光軸方向に延びる円筒状のレンズ保持部材が設けられ、
前記コリメートレンズは、その外周が前記レンズ保持部材に内接するようにして保持されることを特徴とする。
【００２２】
また本発明は、前記コリメートレンズの光学面は、前記レンズ保持部材の光軸方向の端面から前記コリメートレンズの中心寄りである内方に位置することを特徴とする。
【００２３】
本発明に従えば、コリメートレンズには、光軸方向に延びる円筒状のレンズ保持部材が設けられ、コリメートレンズは、その外周がレンズ保持部材に内接するようにして保持される。また好ましくは、コリメートレンズの光学面が、レンズ保持部材の光軸方向の端面からコリメートレンズの中心寄りである内方に位置する。このことによって、たとえばばね部材などでレンズ保持部材を支持することによって、コリメートレンズをハウジングに装着することができる。またコリメートレンズの光学面がレンズ保持部材よりも内方に位置するので、前述のようにばね部材などでレンズ保持部材をハウジングに支持するに際しても、ばね部材がコリメートレンズの光学面を傷付けることがない。なお、レンズ保持部材とコリメートレンズとは、一体化した単一部品を構成してもよい。
【００２４】
また本発明は、前記レンズ保持部材には、前記光軸方向に直交する方向に延びるフランジ部が形成されることを特徴とする。
【００２５】
本発明に従えば、レンズ保持部材には、光軸方向に直交する方向に延びるフランジ部が形成される。このことによって、たとえばばね部材などでフランジ部を支持することによって、コリメートレンズをハウジングに装着することができる。またフランジ部の延びる方向を装置の厚み方向と直交する方向に選択することによって、コリメートレンズの位置調整がさらに容易になる。またコリメートレンズの位置決め後、フランジ部をハウジングに対して装着する接着代に利用することができる。
【００２６】
また本発明は、前記レンズ保持部材には、前記コリメートレンズを前記光軸に対して直交する方向に位置調整するための調整孔が形成されることを特徴とする。
【００２７】
本発明に従えば、レンズ保持部材には、コリメートレンズを光軸に対して直交する方向に位置調整するための調整孔が形成される。この調整孔に、たとえばピンなどの調整部材を挿入してレンズ保持部材と、レンズ保持部材に保持されるコリメートレンズとを位置調整することができる。このように、複雑な機構を設けることなく簡単な構成でコリメートレンズの位置調整が可能になる。
【００２８】
また本発明は、前記調整孔は、前記レンズ保持部材の前記光軸方向の端部に形成され、前記光軸方向外方に臨んで開口することを特徴とする。
【００２９】
本発明に従えば、調整孔は、レンズ保持部材の光軸方向の端面に形成され、光軸方向外方に臨んで開口する。このようにして調整孔を、いわゆるスリット状の簡単な形状に形成することができる。調整孔をスリット状に形成することによって、レンズ保持部材の作製が容易になり、部材作製工程を簡略化できる。
【００３０】
また本発明は、前記調整孔は、複数個形成されることを特徴とする。
本発明に従えば、調整孔は複数個形成される。たとえばピンなどの調整部材を複数個の調整孔に挿入して複数箇所でレンズ保持部材を操作することによって、一層確実にコリメートレンズの位置を調整することができる。
【００３１】
また本発明は、前記レンズ位置調整手段は、
前記レンズ保持部材と、
前記レンズ保持部材に形成される調整孔に挿入して用いられる調整部材とを含むことを特徴とする。
【００３２】
また本発明は、前記調整部材は、
略棒状であり、前記レンズ保持部材に形成される調整孔に挿入される先端部付近の断面形状がＵ字状であることを特徴とする。
【００３３】
本発明に従えば、レンズ位置調整手段は、レンズ保持部材とレンズ保持部材に形成される調整孔に挿入して用いられる調整部材とを含んで構成される。また調整部材は、略棒状であり、レンズ保持部材に形成される調整孔に挿入される先端部付近の断面形状がＵ字状であることが好ましい。調整部材の先端部付近が、Ｕ字状に形成されることによって、調整孔に挿入された調整部材の先端部が、レンズ保持部材と確実に係合することができるので、コリメートレンズの位置調整が容易かつ確実に行える。
【００３４】
また本発明は、前記いずれかに記載の光ピックアップ装置を備えることを特徴とする光情報記録再生装置である。
【００３５】
本発明に従えば、光情報記録再生装置は、前記いずれかの光ピックアップ装置を備えるので、光源から出射され、コリメートレンズで平行光または略平行光にされた後、光記録媒体上に集光照射される光スポットの形状および品質を、良好なものにすることができる。この形状および品質の良い光スポットの光記録媒体による反射光から得られるＲＦ信号，ＴＥＳおよびＦＥＳは、精度および品質に優れる。したがって、品質に優れる情報の記録／再生ができるとともに、対物レンズなど光学部材の位置制御を精度良く行うことのできる光情報記録再生装置が実現される。
【００３６】
【発明の実施の形態】
図１は本発明の実施の一形態である光ピックアップ装置２１の構成を簡略化して示す斜視図であり、図２は図１に示す光ピックアップ装置２１の配置側面図である。
【００３７】
光ピックアップ装置２１は、光記録媒体２２に対して光２３を出射する光源２４と、偏光ビームスプリッタ２５と、光源２４から出射される光２３を平行光または略平行光にするコリメートレンズ２６と、光源２３から出射される光の軸である光軸２７に対して直交する方向である矢符２８および矢符２９方向に、コリメートレンズ２６の位置を調整するレンズ位置調整手段３０と、立上ミラー３１と、対物レンズ３２と、レーザ出力モニタ用光検出器３３と、ＡＰＣ回路３４と、ウォラストンプリズム３５と、集光レンズ３６と、光検出器３７と、光記録媒体２２を除く前述の各部材を収容するハウジング３８とを含む。
【００３８】
本実施の形態における光源２４は、半導体レーザである。半導体レーザ２４は、前述の図９に示す半導体レーザ２と同一に構成され、光を放射するレーザチップと、レーザチップから放射される光を回折光にして出射するホログラム素子と、光記録媒体２２で反射された光の一部を受光する受光素子とを含んで構成される。
【００３９】
偏光ビームスプリッタ２５は、半導体レーザ２４から出射される光２３および光記録媒体２２からの反射光を、反射および透過によって光分岐する光学部材である。半導体レーザ２４から出射された光の一部は、偏光ビームスプリッタ２５によって反射され、レーザ出力モニタ用光検出器３３に入射する。レーザ出力モニタ用光検出器３３は、たとえばフォトダイオードなどからなる受光素子であり、入射した光を光電変換して光の強度に相当する電気信号をＡＰＣ回路３４に対して出力する。ＡＰＣ回路３４は、レーザ出力モニタ用光検出器３３からの出力に応じて、半導体レーザ２４の駆動電流を制御して光出力が一定になるようにする。
【００４０】
コリメートレンズ２６は、円盤状の光学部材であり、このコリメートレンズ２６の直径Ｄ１は、半導体レーザ２４の光軸２７に直交する一方向（ここでは、図２の紙面における上下方向）の寸法である厚みＴ１よりも小さくなるように形成される。
【００４１】
図３はレンズ保持部材４１の斜視図であり、図４はレンズ保持部材４１がハウジング３８に支持されている状態を示す側面図であり、図５はレンズ保持部材４１がハウジング３８に支持されている状態を示す拡大図である。
【００４２】
コリメートレンズ２６には、光軸２７方向に延びる円筒状のレンズ保持部材４１が設けられ、コリメートレンズ２６は、その外周がレンズ保持部材４１に内接するようにして保持される。なお本実施の形態では、コリメートレンズ２６の外周がレンズ保持部材４１に内接する状態になるように、コリメートレンズ２６とレンズ保持部材４１とが、一体的に単一部品として形成される。また、コリメートレンズ２６は、コリメートレンズ２６に光が入／出射する面である光学面２６ａ，２６ｂが、レンズ保持部材４１の光軸方向の端面４１ａ，４１ｂからコリメートレンズの中心寄りである内方に位置するように、レンズ保持部材４１と一体に形成される。
【００４３】
このレンズ保持部材４１は、レンズ位置調整手段３０の一部を構成する。レンズ保持部材４１には、コリメートレンズ２６を前記矢符２８，２９方向に位置調整するための２個の調整孔４２ａ，４２ｂが形成される。調整孔４２ａ，４２ｂは、レンズ保持部材４１の光軸方向の一端部４３に、光軸方向外方に臨んで開口するように、いわゆるスリット状に形成される。
【００４４】
レンズ保持部材４１と一体のコリメートレンズ２６は、ばね部材４４をレンズ保持部材４１の他方の端面４１ａに当接させ、ばね部材４４の弾性を利用して、レンズ保持部材４１の一方の端面４１ｂを、ハウジング３８に形成されるコリメートレンズ支持面４５に対して押圧することによって、ハウジング３８に支持される。コリメートレンズ２６の光学面２６ａ，２６ｂは、レンズ保持部材４１の端面４１ａ，４１ｂよりも内方に位置するので、前述のようにばね部材４４でレンズ保持部材４１をハウジング３８に装着するに際し、ばね部材４４によって傷付けられる恐れがない。
【００４５】
コリメートレンズ２６を矢符２８，２９方向に位置調整するレンズ位置調整手段３０は、前述のレンズ保持部材４１と、レンズ保持部材４１に形成される調整孔４２ａ，４２ｂに挿入して用いられる調整部材４７とを含んで構成される。調整部材４７は、略棒状であり、調整孔４２ａ，４２ｂに挿入される先端部４７ａ付近の断面形状がＵ字状である。
【００４６】
レンズ位置調整手段３０によるコリメートレンズ２６の位置調整は、次のように行われる。調整部材４７を調整孔４２ｂに挿入し、調整部材４７のＵ字状先端部４７ａをレンズ保持部材４１に係合させる。調整部材４７のＵ字状先端部４７ａをレンズ保持部材４１に係合させた状態で、調整部材４７を矢符２８方向または矢符２９方向に移動させることによって、調整部材４７に係合されるレンズ保持部材４１およびコリメートレンズ２６が所望の位置になるように調整する。
【００４７】
コリメートレンズ２６の位置調整時においては、前述のようにコリメートレンズ２６が、レンズ保持部材４１を介してばね部材４４によって、ハウジング３８に押圧されている状態であるので、調整部材４７によるレンズ保持部材４１の操作によってコリメートレンズ２６を移動させることができる。このとき、調整部材４７を２本準備し、調整部材４７を２個の調整孔４２ａ，４２ｂにそれぞれ挿入し、２箇所においてレンズ保持部材４１を操作して移動させることによって、一層確実にコリメートレンズ２６が所望の位置になるように調整することができる。
【００４８】
レンズ位置調整手段３０の一部を構成するレンズ保持部材４１の外径Ｄ２は、前述の半導体レーザ２４の厚みＴ１よりも小さくなる（Ｔ１＞Ｄ２）ように形成される。コリメートレンズ２６の直径Ｄ１は、レンズ保持部材４１の外径Ｄ２よりも小さいので、さらに半導体レーザ２４の厚みＴ１との関係を整理すると、（Ｔ１＞Ｄ２＞Ｄ１）となる。
【００４９】
このようにコリメートレンズ２６の径Ｄ１およびコリメートレンズ２６を内接するレンズ保持部材４１の外径Ｄ２を、半導体レーザ２４の厚みＴ１よりも小さくすることによって、半導体レーザ２４の厚みＴ１とレンズ保持部材４１の外径Ｄ２との差（＝Ｔ１−Ｄ２＝間隙Ｇ１＋間隙Ｇ２）に相当する寸法分を、コリメートレンズ２６の位置調整代として利用することができる。したがって、半導体レーザ２４の厚みＴ１を超えるスペースを必要とすることなく、コリメートレンズ２６の位置調整を行うことができるので、光ピックアップ装置２１の薄型化を実現することができる。
【００５０】
図６は、調整孔のもう一つの形状を示す図である。レンズ保持部材４１に形成される調整孔は、前述の形状の調整孔４２ａ，４２ｂに限定されるものではない。調整孔は、レンズ保持部材４１の光軸方向端部に開口部を有することのない有底孔４８であっても良い。
【００５１】
再び図１，図２に戻って、立上ミラー３１は反射鏡であり、コリメートレンズ２６を透過した光を反射して光記録媒体２２に導く。対物レンズ３２は、立上ミラー３１で反射された光を、光記録媒体２２の情報記録面に集光して光スポットを形成する。
【００５２】
光ピックアップ装置２１では、半導体レーザ２４から出射された光が、偏光ビームスプリッタ２５を透過してコリメートレンズ２６に入射し、平行光または略平行光にされてコリメートレンズ２６から出射するとき、前述のようにコリメートレンズ２６をレンズ位置調整手段３０によって所望の位置になるように調整することができる。このことによって、コリメートレンズ２６から出射される光の出射角度を調整することができるので、コリメートレンズ２６を出射後、立上ミラー３１で反射され対物レンズ３２で光記録媒体２２上に集光されて形成される光スポットを、所望の形状および品質に調整することが可能になる。
【００５３】
光スポットが光記録媒体２２で反射された光は、対物レンズ３２を透過して立上ミラー３１で反射され、偏光ビームスプリッタ２５で透過および反射されてさらに光分岐される。偏光ビームスプリッタ２５で反射された光は、光分離光学部材であるウォラストンプリズム３５によって２つの光に分離され、分離された光は集光レンズ３６によって光検出器３７に集光される。光検出器３７は、たとえばフォトダイオードからなる受光素子であり、２つの光を光電変換してＲＦ信号およびＴＥＳを差動検出して出力する。また偏光ビームスプリッタ２５を透過した一方の光は、半導体レーザ２４に戻り、ホログラム素子で回折されて受光素子に受光される。受光素子による検出出力は、差動増幅器に入力され、差動増幅器は、差動増幅出力をＦＥＳとして出力する。
【００５４】
光ピックアップ装置２１では、良好な形状および品質を有する光スポットが光記録媒体２２で反射された光によって、ＲＦ信号，ＴＥＳおよびＦＥＳを得ることができる。したがって、このような光ピックアップ装置２１を光情報記録再生装置、たとえばＣＤレコーダ，ＤＶＤレコーダなどに搭載することによって、品質に優れる情報の記録／再生ができるとともに、対物レンズなど光学部材の位置制御を精度良く行うことができる。
【００５５】
図７は、本発明の実施の第２の形態である光ピックアップ装置に備わるレンズ保持部材５１の構成を示す斜視図である。本実施の形態の光ピックアップ装置は、レンズ保持部材５１を除いて実施の第１形態の光ピックアップ装置２１と同一に構成されるので図を省略する。
【００５６】
本実施の形態の光ピックアップ装置に備わるレンズ保持部材５１には、光軸２７方向に直交する方向であって、半導体レーザ２４の厚み方向に直交する方向に延びるフランジ部５２ａ，５２ｂが形成される。レンズ保持部材５１と一体のコリメートレンズ２６は、たとえばばね部材をレンズ保持部材５１のフランジ部５２ａ，５２ｂに当接させ、ばね部材の弾性を利用してレンズ保持部材５１をハウジング３８に形成されるコリメートレンズ支持面４５に対して押圧することによって、ハウジング３８に支持される。
【００５７】
フランジ部５２ａ，５２ｂは、レンズ保持部材５１の円筒状部の端面５３に比べて広い面積を有するので、ばね部材を当接させることが容易である。したがって、ハウジング３８に対してコリメートレンズ２６を簡単に装着することが可能になる。またフランジ部５２ａ，５２ｂの延びる方向を装置の厚み方向と直交する方向に選択しているので、ピンなどからなる調整部材を準備し、ピンを用いてフランジ部５２ａ，５２ｂをその延びる方向に押すことによって、コリメートレンズ２６を容易に位置調整することができる。このレンズ保持部材５１とたとえばピンなどからなる調整部材とは、もう一つのレンズ位置調整手段を構成する。さらにコリメートレンズ２６の位置決め後、フランジ部５２ａ，５２ｂをハウジング３８に対して装着する接着代に利用することができる。
【００５８】
【発明の効果】
本発明によれば、光源から出射される光の軸である光軸に対して直交する方向に、コリメートレンズの位置を調整するレンズ位置調整手段が備えられる。レンズ位置調整手段でコリメートレンズの位置を調整することによって、光源から出射されてコリメートレンズに入射し、さらにコリメートレンズから出射する光の出射角度を調整し、光記録媒体に集光照射される光スポットの形状および品質を調整することができる。このようにして所望の特性を有する光スポットを簡易な構成で容易に得ることができるので、装置のハウジング修正等の作業を省いて組立調整時間を短縮できるとともに、装置の性能向上とコスト削減とを実現することができる。
【００５９】
また本発明によれば、コリメートレンズの径は、光源の光軸に直交する一方向の寸法である厚みよりも小さい。このことによって、光源の厚みとコリメートレンズの径との差に相当する寸法分を、コリメートレンズの位置調整代として利用することができるので、光源の厚みを超えるスペースが必要とされない。また光源の位置調整に依ることなく、コリメートレンズの位置調整によって所望の光スポットを得ることができる。したがって、光ピックアップ装置の薄型化を実現することができる。
【００６０】
また本発明によれば、コリメートレンズには、光軸方向に延びる円筒状のレンズ保持部材が設けられ、コリメートレンズは、その外周がレンズ保持部材に内接するようにして保持される。また好ましくは、コリメートレンズの光学面が、レンズ保持部材の光軸方向の端面からコリメートレンズの中心寄りである内方に位置する。このことによって、たとえばばね部材などでレンズ保持部材を支持して、コリメートレンズをハウジングに装着することができる。またコリメートレンズの光学面がレンズ保持部材よりも内方に位置するので、前述のようにばね部材などでレンズ保持部材をハウジングに支持するに際しても、ばね部材がコリメートレンズの光学面を傷付けることがない。なお、レンズ保持部材とコリメートレンズとは、一体化した単一部品を構成してもよい。
【００６１】
また本発明によれば、レンズ保持部材には、光軸方向に直交する方向に延びるフランジ部が形成される。このことによって、たとえばばね部材などでフランジ部を支持することによって、コリメートレンズをハウジングに装着することができる。またフランジ部の延びる方向を装置の厚み方向と直交する方向に選択することによって、コリメートレンズの位置調整がさらに容易になる。またコリメートレンズの位置決め後、フランジ部をハウジングに対して装着する接着代に利用することができる。
【００６２】
また本発明によれば、レンズ保持部材には、コリメートレンズを光軸に対して直交する方向に位置調整するための調整孔が形成される。この調整孔に、たとえばピンなどの調整部材を挿入してレンズ保持部材と、レンズ保持部材に保持されるコリメートレンズとを位置調整することができる。このように、複雑な機構を設けることなく簡単な構成でコリメートレンズの位置調整が可能になる。
【００６３】
また本発明によれば、調整孔は、レンズ保持部材の光軸方向の端面に形成され、光軸方向外方に臨んで開口する。このようにして調整孔を、いわゆるスリット状の簡単な形状に形成することができる。調整孔をスリット状に形成することによって、レンズ保持部材の作製が容易になり、部材作製工程を簡略化できる。
【００６４】
また本発明によれば、調整孔は複数個形成される。たとえばピンなどの調整部材を複数個の調整孔に挿入して複数箇所でレンズ保持部材を操作することによって、一層確実にコリメートレンズの位置を調整することができる。
【００６５】
また本発明によれば、レンズ位置調整手段は、レンズ保持部材とレンズ保持部材に形成される調整孔に挿入して用いられる調整部材とを含んで構成される。また調整部材は、略棒状であり、レンズ保持部材に形成される調整孔に挿入される先端部付近の断面形状がＵ字状であることが好ましい。調整部材の先端部付近が、Ｕ字状に形成されることによって、調整孔に挿入された調整部材の先端部が、レンズ保持部材と確実に係合することができるので、コリメートレンズの位置調整が容易かつ確実に行える。
【００６６】
また本発明によれば、光情報記録再生装置は、前記いずれかの光ピックアップ装置を備えるので、光源から出射され、コリメートレンズで平行光または略平行光にされた後、光記録媒体上に集光照射される光スポットの形状および品質を、良好なものにすることができる。この形状および品質の良い光スポットの光記録媒体による反射光から得られるＲＦ信号，ＴＥＳおよびＦＥＳは、精度および品質に優れる。したがって、品質に優れる情報の記録／再生ができるとともに、対物レンズなど光学部材の位置制御を精度良く行うことのできる光情報記録再生装置が実現される。
【図面の簡単な説明】
【図１】本発明の実施の一形態である光ピックアップ装置２１の構成を簡略化して示す斜視図である。
【図２】図１に示す光ピックアップ装置２１の配置側面図である。
【図３】レンズ保持部材４１の斜視図である。
【図４】レンズ保持部材４１がハウジング３８に支持されている状態を示す側面図である。
【図５】レンズ保持部材４１がハウジング３８に支持されている状態を示す拡大図である。
【図６】調整孔のもう一つの形状を示す図である。
【図７】本発明の実施の第２の形態である光ピックアップ装置に備わるレンズ保持部材５１の構成を示す斜視図である。
【図８】従来の光ピックアップ装置１の構成を簡略化して示す斜視図である。
【図９】図８に示す光ピックアップ装置１に備わる光源２の構成を簡略化して示す図である。
【符号の説明】
２１　光ピックアップ装置
２２　光記録媒体
２４　半導体レーザ
２５　偏光ビームスプリッタ
２６　コリメートレンズ
３０　レンズ位置調整手段
３１　立上ミラー
３２　対物レンズ
３３　レーザ出力モニタ用光検出器
３４　ＡＰＣ回路
３５　ウォラストンプリズム
３６　集光レンズ
３７　光検出器
３８　ハウジング
４１，５１　レンズ保持部材
４２　調整孔
４７　調整部材
５２　フランジ部
【図１】
2004127469.tif 000003
【図２】
2004127469.tif 000004
【図３】
2004127469.tif 000005
【図４】
2004127469.tif 000006
【図５】
2004127469.tif 000007
【図６】
2004127469.tif 000008
【図７】
2004127469.tif 000009
【図８】
2004127469.tif 000010
【図９】
2004127469.tif 000011